(57)【要約】【課題】把手穴周縁が破損したり保証書を収納する収納部が破損するのを防止する。【解決手段】緩衝体１９で保護した製品１を外箱１０の一面１０ａ側から取り出し可能とし、外箱１０の一面１０ａに隣接する隣接面１２ａに、一面１０ａ側を基端Ａとして折り曲げ可能な舌片１７し、この舌片１７を外箱１０の内方に折り曲げて把手穴１８を形成する梱包装置において、緩衝体１９に把手穴に連通する連通口３１を形成し、この連通口３１の一面１０ａと反対側に連通口３１に連通する収納部３３を凹設し、この収納部３３の外壁を、舌片１７の略厚みＢ分の隙間を有して外箱１０内面に近接させる。【効果】搬送時に収納部に誤って手を掛けられても、舌片の略厚み分だけ収納部の外壁が撓むと収納部が外箱内周面に当接してそれ以上撓むことがなく、収納部が破損するのを防止できる。【選択図】  図５
2004175424.tif 000002
【特許請求の範囲】
【請求項１】
緩衝体で保護した製品を外箱の一面側から取り出し可能とし、前記外箱の一面に隣接する隣接面に、前記一面側を基端として折り曲げ可能な舌片を形成し、該舌片を前記外箱の内方に折り曲げて把手穴を形成する梱包装置において、前記緩衝体に前記把手穴に連通する連通口を形成し、該連通口の前記一面と反対側に前記連通口と連通する収納部を凹設し、該収納部の外壁を、前記舌片の略厚み分の隙間を有して前記外箱内周面に近接させたことを特徴とする梱包装置。
【請求項２】
前記収納部の外壁を前記把手穴周縁において近接させたことを特徴とする請求項１に記載の梱包装置。
【請求項３】
前記連通口に面する前記収納部の外壁には傾斜面が形成されていることを特徴とする請求項１又は請求項２に記載の梱包装置。
【請求項４】
前記連通口を介して前記把手穴と連通する手掛け部を、前記連通口の前記一面側に凹設したことを特徴とする請求項１乃至請求項３のいずれかに記載の梱包装置。
【請求項５】
前記舌片を、前記手掛け部内に折り曲げ可能な長さに形成したことを特徴とする請求項４に記載の梱包装置。
【請求項６】
前記収納部には製品を保証する保証書を収納することを特徴とする請求項１乃至請求項５のいずれかに記載の梱包装置。
【請求項７】
前記収納部の保証書に対向する面には、前記保証書に向かって突部が形成されていることを特徴とする請求項６に記載の梱包装置。
【発明の詳細な説明】
【０００１】
【発明の属する技術分野】
本発明は、外箱内に緩衝体で保護した製品を収納する梱包装置に関する。
【０００２】
【従来の技術】
従来、この種の梱包装置として、外箱の一面にフラップを設け、この一面から緩衝体で保護された製品を引き出し可能とし、外箱の一面と隣接する隣接面に一面側を基端として折り曲げられる舌片を形成し、この舌片を折り曲げることで手が挿入される把手穴を形成する一方、前記緩衝体に、前記把手穴に連通する連通口と、この連通口に連通して一面側に窪む手掛け部と、前記連通口に連通して前記一面と反対側に窪む収納部とを形成し、この収納部に製品を保証する保証書を収納したものが知られている（特許文献１）。
【０００３】
この梱包装置は、収納部の外壁を外箱内周面から大きく離れるように形成し、製品を使用しようとして一面から緩衝体に保護された製品を引き出す際に、収納部の外壁が外箱の内方側に折り曲げられた舌片に当たっても舌片の基端部に大きな力が働かないようにし、舌片の基端側が破れるのを防止している。
【０００４】
ところで、通常、把手穴から挿入した手の先を前記手掛け部に掛けることで、外箱と共に緩衝体を持って梱包装置を搬送できるが、前記手掛け部に手を掛けずに、誤って把手穴周縁で舌片の基端と反対側に手を掛けて梱包装置を持ってしまうことが生じる。上述の如く、収納部と外箱内面との間に大きな隙間が形成されているので、誤って収納部に手を掛けて搬送すると、前記収納部の外壁が外箱内周面に当接するまで大きく撓み、破損する恐れがあった。
【０００５】
【特許文献１】
特開２００１−８８８７号公報（第３頁の段落番号００１４から同頁の段落番号００１７と同頁の段落番号００２６及び図５）
【０００６】
【発明が解決しようとする課題】
本発明は、保証書を収納する収納部が破損するのを防止できる梱包装置を提供することを課題とする。
【０００７】
【課題を解決するための手段】
上記課題を解決するための手段は、緩衝体で保護した製品を外箱の一面側から取り出し可能とし、前記外箱の一面に隣接する隣接面に、前記一面側を基端として折り曲げ可能な舌片を形成し、この舌片を前記外箱の内方に折り曲げて把手穴を形成する梱包装置において、前記緩衝体に前記把手穴に連通する連通口を形成し、この連通口の前記一面と反対側に前記連通口と連通する収納部を凹設し、この収納部の外壁を、前記舌片の略厚み分の隙間を有して前記外箱内周面に近接させたものである。
【０００８】
上記構成において、前記収納部の外壁を前記把手穴周縁において近接させたものである。
【０００９】
また、前記連通口に面する前記収納部の外壁には傾斜面が形成されているものである。
【００１０】
また、前記連通口を介して前記把手穴と連通する手掛け部を、前記連通口の前記一面側に凹設したものである。
【００１１】
また、前記舌片を、前記手掛け部内に折り曲げ可能な長さに形成する。
【００１２】
また、前記収納部には製品を保証する保証書を収納するものである。
【００１３】
また、前記収納部の保証書に対向する面には、前記保証書に向かって突部が形成されているものである。
【００１４】
【発明の実施の形態】
本発明の実施の形態の梱包装置を、図１乃至図５に基づいて説明する。尚、この実施の形態では梱包される製品として扇風機を例に示したが、これに限定されるものではなく、他の電気製品などであっても良い。
【００１５】
１は被梱包物としての製品（ここでは扇風機）で、ベース２、図示しない本体固定用ナットによりベース２に固定される本体４、前ガード５、送風羽根６、送風羽根６を本体のモータ４ａの軸４ｂに固定するスピンナー７、後ガード８、後ガード８を本体４に固定するガード固定用ナット９に分解される。
【００１６】
１０は分解した製品１を後述する緩衝体１９にて保護した状態で収納する外箱で、図６に示すように、長辺と短片からなる側面１１、１２の両側に、先端に向かって幅が狭くなる台形状の外フラップ１３と長方形の内フラップ１４がそれぞれ連接している。長辺側の側面１１の一方には接続片１５が形成されており、罫線Ｋ１乃至Ｋ４で谷折して接続片１５を短辺側の側面１２に貼着することで、一面１０ａと他面１０ｂを開口する箱状に形成される。そして、外箱１０は、罫線Ｋ５及び罫線Ｋ６で谷折して内フラップ１４と外フラップ１３を折り重ねるように折り曲げることで、外箱１０の一面１０ａと他面１０ｂが形成され、直方体状に形成される。
【００１７】
この外箱１０の一面１０ａに隣接する短辺側の側面１２の内の一方（以降隣接面１２ａと呼ぶ）には、一面１０ａ側を基端Ａとして折り曲げ可能な舌片１７がコ字状の切りこみにて形成されている。この舌片１７は、外箱１０の内方に折り曲げた際に後述する手掛け部３２内に折り曲げ可能な長さに形成されている。この舌片１７は、図５に示すように折り曲げた際、搬送時に手を挿入する把手穴１８が外箱１０の隣接面１２ａに形成されると共に、手掛け部３２の隣接面１２ａ側の角部を覆うようになっており、手掛け部３２の隣接面１２ａ側の角部に弾性のある舌片１７を介して触れるので、快適に手先を手掛け部３２に引っ掛けることができる。
【００１８】
１９は分解された製品１を保護する緩衝体で、上緩衝体２０と下緩衝体２１で構成される。
【００１９】
下緩衝体２１の一面１０ａ側には切り欠き２２が形成され、この切り欠き２２が形成された側に本体４を収納する凹部２３が形成されている。この凹部２３の他面１０ｂ側には、ベース２、送風羽根６、後ガード８、前ガード５が緩衝材２４、２５を介して積み重ねられて収納される円筒状の凹部２６と、ガード固定用ナット９を収納する凹部２７と、スピンナー７を収納する凹部２８がそれぞれ形成されており、凹部２３、２６、２７、２８で製品収納凹部２９を構成する。更に、下緩衝体２１には製品１と隣接面１２ａとの間に、製品１を収納するスペースとして利用されていないデッドスペース３０が形成されている。
【００２０】
また、下緩衝体２１の隣接面１２ａ側には、把手穴１８に対応して連通口３１が形成されている。この連通口３１近傍には、連通口３１と連通して一面１０ａ側に窪む手掛け部３２が形成されており、把手穴１８から挿入した手を引っ掛けることで下緩衝体２１と外箱１０とを持って搬送できる。
【００２１】
３３は保証書３４を隣接面１２ａに沿うように収納するための収納部で、連通口３１に連通し、且つ、前記デッドスペース３０を利用するように、把手穴１８の他面１０ｂ側に形成される。この収納部３３の隣接面１２ａ側には、外箱１０の内周面から舌片１７の略厚みＢの距離まで近接するように延設部３５が形成され、この延設部３５より他面１０ｂ側には薄肉部３６が形成されている。また、この延設部３５の把手穴１８周縁には傾斜面３７が形成されている。
【００２２】
また、収納部３３の保証書３４に対向する面には保証書３４に向かって突部３３ａ、３３ｂがそれぞれ形成されており、この突部３３ａ、３３ｂにて保証書３４全体ではなく部分的に保持し、連通口３１から保証書３４を引き出す際の抵抗を減少させ、引き出しやすくしている。また、突部３３ａ、３３ｂは延設部３５と共に収納部３３を補強するので、上述の如く薄肉部３６を形成しても、収納部３３の外壁が充分な強度を有するようになる。
【００２３】
上記構成の梱包装置の組立について説明する。
【００２４】
製品１である扇風機を分解して、下緩衝体２１の凹部２３に本体４を収納する。
そして、円筒状の凹部２６にベース２を収納し、ベース２の中心部に嵌合された緩衝材２４に送風羽根６を支持し、送風羽根６に嵌合された円筒状の緩衝材２５に後ガード８、前ガード５を積み重ねて収納する。更に凹部２８にスピンナー７を、凹部２７にガード固定ナット９をそれぞれ収納し、製品１の下緩衝体２１への収納が完了する。この状態で、製品１の本体４に記載された製造番号（図示せず）を確認し、この製造番号の記された保証書３４を収納部３３に収納する。
【００２５】
保証書３４を収納した後に上緩衝体２０を下緩衝体２１の上部に載せて製品１を上緩衝体２０と下緩衝体２１により挟持し、この状態で外箱１０内に収納する。最後に、外箱１０の内フラップ１４と外フラップ１３を折り重ねるようにして閉じ、テープ１６にて封をすることで梱包が完了する。
【００２６】
このテープ１６にて封をする際、上述の先端に向かって幅が狭くなる台形状の外フラップ１３の代わりに、外フラップ１３を長方形に形成した場合、図９に示すように、外フラップ１４がずれて折り曲げられると、外箱１０の側面から外フラップ１３の先端が突出することが生じる。外フラップ１３が突出したままテープ１６で封をすると、図１０に示すように外フラップ１３がめくれてしまい、外観が悪くなったり、めくれあがった個所Ｃでテープ１６がこすれて破れたりする。
【００２７】
これに対し、上述の如く、外フラップ１３を先端に向かって幅が狭くなる台形状とすると、図７に示すように外フラップ１３がずれても図８に示すように、外フラップ１３の先端が外箱１０の側面から突出するのを防止できる。これにより、外観を向上できると共に、テープ１６の破損を防止できる。
【００２８】
また、上記梱包の際に、保証書３４の製造番号と製品１の製造番号とが一致しているかどうかを確認した後に保証書３４を収納するので、誤った製造番号の保証書３４が収納されるのを防止でき、製造番号が違うために無償修理が受けられなくなるのを防止できる。
【００２９】
このようにして梱包された梱包装置は、販売店にて保証書３４に必要事項を表示した後に購入者に渡される。そこで、この際の表示作業について説明する。
【００３０】
図５に示すように舌片１７を外箱１０内に折り曲げて把手穴１８を形成する。この把手穴１８から連通口３１を介して手を挿入して保証書３４を摘み、連通口３１から引き出す。そして、保証書３４に保証期間の起算日や販売店名等を特定する事項を表示した後、保証書３４を連通口３１から挿入して再度収納部３３内に収納し、表示作業が完了する。
【００３１】
上述の如く、梱包を解かなくても、外箱１０の把手穴１８から保証書３４を出し入れすることができるので、保証書３４への必要事項の表示作業を容易に行うことができる。
【００３２】
ところで、梱包装置を搬送する際には、上述の如く、舌片１７を折り曲げることで形成された把手穴１８から手を挿入し、挿入した手の先を連通口３１を介して手掛け部３２に掛け、外箱１０と共に下緩衝体２１を持って行われる。
【００３３】
この際、手掛け部３２ではなく、誤って手掛け部３２と反対側の収納部３３に手が掛けられることが生じる。この場合、収納部３３の隣接面１２ａ側が撓むが、舌片１７の略厚みＢだけ撓むと、延設部３５が外箱１０の内周面に当接してそれ以上撓むことができないので、大きく撓むことがなく、破損の恐れを低減することができる。
【００３４】
更に、把手穴１８周縁において延設部３５と外箱１０の内周面との間には舌片１７の略厚みＢ分の隙間しか形成されないので、把手穴１８周縁において舌片１７の基端Ａと反対側に手が掛けられるのを防止でき、把手穴１８周縁が破損するのを防止することができる。
【００３５】
搬送後は製品１を使用するために、外箱１０の一面１０ａを開き、下緩衝体２１に形成した切り欠き２２に手を掛け、緩衝体１９に保護された製品１を外箱１０から引き出す。この際、延設部３５が舌片１７に当たることになるが、延設部３５は、外箱１０の内面との間に舌片１７の略厚みＢの隙間が形成された状態で舌片１７を通過するので、舌片１７の基端Ａ側に大きな力が働くことがなく、舌片１７の基端側において外箱１０が破損するのを防止できる。更に、舌片１７が傾斜面３７に案内されて外箱１０の隣接面１２ａ側へスムーズに折り曲げられるので、舌片１７の基端Ａ側において外箱１０が破損するのを防止できる。
【００３６】
【発明の効果】
本発明の請求項１によれば、製品を外箱の一面から引き出す際に、収納部の外壁が外箱内周面と舌片の略厚み分の隙間を有して舌片を通過するので、舌片の基端側に大きな力が働くことなく舌片の基端側が破損するのを防止できる。更に、搬送時に収納部に誤って手を掛けられても、舌片の略厚み分だけ収納部の外壁が撓むと収納部が外箱内周面に当接してそれ以上撓むことがなく、収納部が破損するのを防止できる。
【００３７】
本発明の請求項２によれば、把手穴周縁の舌片と反対側には収納部の外壁が近接しているので、把手穴から手を挿入して把手穴周縁の舌片と反対側に手が掛けられるのを防止でき、把手穴周縁が破れるのを防止できる。
【００３８】
本発明の請求項３によれば、製品を一面から引き出す際に、傾斜面に案内されて舌片が外箱の隣接面側にスムーズに折り曲げられるので、舌片の基端近傍が破れるのを防止できる。
【００３９】
本発明の請求項４によれば、把手穴から挿入した手先を手掛け部に引っ掛けることで、外箱と共に緩衝体を持って搬送することができる。
【００４０】
本発明の請求項５によれば、舌片が手掛け部に折り曲げられることで、手掛け部の角部に弾性のある舌片を介して触れるので、快適に手先を手掛け部に引っ掛けることができる。
【００４１】
本発明の請求項６によれば、収納部に収納した保証書を把手穴から外箱外に引き出したり、把手穴から収納したりすことができる。
【００４２】
本発明の請求項７によれば、突部にて保証書全体ではなく部分的に保証書を保持できるので、保証書を収納部から引き出す際に抵抗を少なくでき、容易に引き出すことができる。
【図面の簡単な説明】
【図１】本発明の実施の形態を示す梱包装置の下緩衝体に製品及び保証書を収納した斜視図である。
【図２】図１において上緩衝体を取り付けた状態での斜視図である。
【図３】図２におけるＸ−Ｘ断面図である。
【図４】同梱包装置の斜視図である。
【図５】図４のＹ−Ｙ断面における収納部近傍の要部拡大図である。
【図６】同梱包装置の外箱の展開図である。
【図７】同梱包装置において外フラップを折り曲げた状態での平面図である。
【図８】図７においてテープで封をした状態を示す平面図である。
【図９】同梱包装置の外フラップの代わりに長方形の外フラップを設け、この外フラップを折り曲げた状態での平面図である。
【図１０】図９においてテープで封をした状態を示す平面図である。
【符号の説明】
１              製品
１０ａ            一面
１２ａ            隣接面
１８              把手穴
１９              緩衝体
１７              舌片
３１              連通口
３２              手掛け部
３３              収納部
３３ａ            突部
３３ｂ            突部
３４              保証書
３７              傾斜面
Ａ              舌片の基端
Ｂ              舌片の厚み
【図１】
2004175424.tif 000003
【図２】
2004175424.tif 000004
【図３】
2004175424.tif 000005
【図４】
2004175424.tif 000006
【図５】
2004175424.tif 000007
【図６】
2004175424.tif 000008
【図７】
2004175424.tif 000009
【図８】
2004175424.tif 000010
【図９】
2004175424.tif 000011
【図１０】
2004175424.tif 000012